(57)【特許請求の範囲】
【請求項１】
携帯コンロを載置する携帯コンロ用の載置部材であって、
前記載置部材は、本体部とこの本体部の両端から立ち上がる腕部とからなる第一の載置プレート及び第二の載置プレートを十字状又は斜め十字状にして形成され、
前記腕部の上端には引掛部を突設したことを特徴とした、携帯コンロ用のテーブルに掛下する携帯コンロ用の載置部材。
【請求項２】
前記第一の載置プレートと前記第二の載置プレートが分解自在であることを特徴とした、請求項１に記載の携帯コンロ用の載置部材。
【請求項３】
前記本体部には、携帯コンロ用のスペーサーを嵌合載置する嵌合溝を形成したことを特徴とした、請求項１又は請求項２に記載の携帯コンロ用の載置部材。
【請求項４】
携帯コンロ用のスペーサーであって、
前記スペーサーは、一対のプレート形状とし、
請求項３に記載の前記載置部材の前記嵌合溝に嵌合載置することを特徴とした、携帯コンロ用のスペーサー。
【請求項５】
携帯コンロ用のスペーサーであって、
前記スペーサーは、円筒形状又は多角筒形状とし、
請求項３に記載の前記載置部材の前記嵌合溝に嵌合載置することを特徴とした、携帯コンロ用のスペーサー。
【請求項６】
前記スペーサーは、上端から係止部を凸設又は凹設し、下端から嵌合部を凹設又は凸設したことを特徴とした、請求項４又は請求項５に記載の携帯コンロ用のスペーサー。
【請求項７】
前記スペーサーは、肉抜きされた肉抜部を形成していることを特徴とした、請求項４乃至請求項６のうちいずれか１に記載の携帯コンロ用のスペーサー。
【請求項８】
前記スペーサーが携帯コンロ用の前記載置部材と別体であることを特徴とした、請求項４乃至請求項７のうちいずれか１に記載の携帯コンロ用のスペーサー。
【請求項９】
携帯コンロ用のテーブルであって、
前記テーブルは、天板と複数の脚部とを備え、
前記天板には開口を穿設し、さらに、この開口周囲から一体となった切欠きを放射状に形成し、
請求項１乃至請求項８のうちいずれか１に記載の前記載置部材が掛下されることを特徴とした、携帯コンロ用のテーブル。
【請求項１０】
前記天板は、分割された一対の折畳み式で、
一対の前記天板のそれぞれに備えたヒンジを介して連結し、このヒンジによって二つの前記天板を折畳み又は展開可能とすることを特徴とした、請求項９に記載の携帯コンロ用のテーブル。
【請求項１１】
前記天板の各辺に折曲部を形成したことを特徴とした、請求項９又は請求項１０に記載の携帯コンロ用のテーブル。
【請求項１２】
前記切欠きは、角部から対角線方向又は各辺方向に設けられていることを特徴とした、請求項９乃至請求項１１のうちいずれか１に記載の携帯コンロ用のテーブル。
【請求項１３】
前記テーブルには脱着自在の遮熱板をさらに備え、
前記遮熱板には遮熱板穴を穿設したことを特徴とした、請求項９乃至請求項１２のうちいずれか１に記載の携帯コンロ用のテーブル。
【請求項１４】
前記天板の前記開口の外方には留め穴を穿設し、
前記遮熱板には隅部に爪片を備え、
前記留め穴に前記爪片を嵌め入れ、前記遮熱板穴を穿設した前記遮熱板で前記開口を被覆できることを特徴とした、請求項１３に記載の携帯コンロ用のテーブル。
【請求項１５】
前記開口の形状は、円形穴、多角形穴のいずれかであることを特徴とした、請求項９乃至請求項１４のうちいずれか１に記載の携帯コンロ用のテーブル。
【請求項１６】
前記遮熱板穴の形状は、円形穴、多角形穴のいずれかであることを特徴とした、請求項１３又は請求項１４に記載の携帯コンロ用のテーブル。

【発明の詳細な説明】
【技術分野】
【０００１】
本発明は、携帯コンロ用の載置部材、スペーサー、テーブルに関する。
【背景技術】
【０００２】
従来より、キャンプ用のアウトドア調理器具として、また、災害時や遭難時の調理器具として、携帯コンロが用いられている。この携帯コンロは、携帯コンロの金属製等の台座（五徳）に載せた食材や飲料を入れた加熱容器をガスボンベ内の燃料等を用いて加熱調理するためのもので、ガスボンベに連接するコンロ本体のバーナー部に点火し、加熱食器を直火で加熱するものである。
【０００３】
携帯コンロを使用する際、地面やテーブル等に携帯コンロを直接置く、いわゆる直置きで使用されことが多く、ガスボンベの底が地面やテーブルに直接置かれることによるガスボンベ内の液化ガスの気化効率の低下という課題があった。このような課題を解決するための発明としては文献１がある。
【０００４】
文献１に係る発明は、複数の脚体を備えた載置体のボンベ載置部に、該ボンベ載置部に載置されたガスボンベの少なくとも底面に対する通気路を設けてある携帯用ガスボンベの載置台である。この発明によれば、使用時におけるガスボンベの外気からの吸熱効率を高めて、液化ガスの気化効率の低下を抑制することにより、ガス量調節操作の頻度を軽減することができ、しかも、ボンベ内の液化ガスを最後まで有効使用することができる。
【先行技術文献】
【特許文献】
【０００５】
【特許文献１】特開平１０−２８８３００号公報
【発明の概要】
【発明が解決しようとする課題】
【０００６】
しかしながら、文献１に係る発明を使用する場合は、脚体を備えた載置体のボンベ載置部上にガスボンベを載置するものであるため、携帯用ガスボンベの安定性に問題がある場合がある。
【課題を解決するための手段】
【０００７】
そこで、本発明は、このような形態コンロの安定性に関する問題点を解消することができる、携帯コンロ用の載置部材、スペーサー、テーブルを提供するものである。
【０００８】
請求項１の発明は、携帯コンロを載置する携帯コンロ用の載置部材であって、載置部材は、本体部と本体部の両端から立ち上がる腕部とからなる第一の載置プレート及び第二の載置プレートを十字状又は斜め十字状にして形成され、腕部の上端には引掛部を突設したことを特徴とした、携帯コンロ用のテーブルに掛下する携帯コンロ用の載置部材である。
【０００９】
請求項２の発明は、第一の載置プレートと第二の載置プレートが分解自在であることを特徴とした、請求項１に記載の携帯コンロ用の載置部材である。
【００１０】
請求項３の発明は、本体部には、携帯コンロ用のスペーサーを嵌合載置する嵌合溝を形成したことを特徴とした、請求項１又は請求項２に記載の携帯コンロ用の載置部材である。
【００１１】
請求項４の発明は、携帯コンロ用のスペーサーであって、スペーサーは、一対のプレート形状とし、請求項３に記載の載置部材の嵌合溝に嵌合載置することを特徴とした、携帯コンロ用のスペーサーである。
【００１２】
請求項５の発明は、携帯コンロ用のスペーサーであって、スペーサーは、円筒形状又は多角筒形状とし、請求項３に記載の載置部材の嵌合溝に嵌合載置することを特徴とした、携帯コンロ用のスペーサーである。
【００１３】
請求項６の発明は、スペーサーは、上端から係止部を凸設又は凹設し、下端から嵌合部を凹設又は凸設したことを特徴とした、請求項４又は請求項５に記載の携帯コンロ用のスペーサーである。
【００１４】
請求項７の発明は、スペーサーは、肉抜きされた肉抜部を形成していることを特徴とした、請求項４乃至請求項６のうちいずれか１に記載の携帯コンロ用のスペーサーである。
【００１５】
請求項８の発明は、スペーサーが携帯コンロ用の載置部材と別体であることを特徴とした、請求項４乃至請求項７のうちいずれか１に記載の携帯コンロ用のスペーサーである。
【００１６】
請求項９の発明は、携帯コンロ用のテーブルであって、テーブルは、天板と複数の脚部とを備え、天板には開口を穿設し、さらに、開口周囲から一体となった切欠きを放射状に形成し、請求項１乃至請求項８のうちいずれか１に記載の載置部材が掛下されることを特徴とした、携帯コンロ用のテーブルである。
【００１７】
請求項１０の発明は、天板は、分割された一対の折畳み式で、一対の天板のそれぞれに備えたヒンジを介して連結し、ヒンジによって二つの天板を折畳み又は展開可能とすることを特徴とした、請求項９に記載の携帯コンロ用のテーブルである。
【００１８】
請求項１１の発明は、天板の各辺に折曲部を形成したことを特徴とした、請求項９又は請求項１０に記載の携帯コンロ用のテーブルである。
【００１９】
請求項１２の発明は、切欠きは、角部から対角線方向又は各辺方向に設けられていることを特徴とした、請求項９乃至請求項１１のうちいずれか１に記載の携帯コンロ用のテーブルである。
【００２０】
請求項１３の発明は、テーブルには脱着自在の遮熱板をさらに備え、遮熱板には遮熱板穴を穿設したことを特徴とした、請求項９乃至請求項１２のうちいずれか１に記載の携帯コンロ用のテーブルである。
【００２１】
請求項１４の発明は、天板の前記開口の外方には留め穴を穿設し、遮熱板には隅部に爪片を備え、留め穴に爪片を嵌め入れ、遮熱板穴を穿設した遮熱板で前記開口を被覆できることを特徴とした、請求項１３に記載の携帯コンロ用のテーブルである。
【００２２】
請求項１５の発明は、開口の形状は、円形穴、多角形穴のいずれかであることを特徴とした、請求項９乃至請求項１４のうちいずれか１に記載の携帯コンロ用のテーブルである。また、請求項１６の発明は、遮熱板穴の形状は、円形穴、多角形穴のいずれかであることを特徴とした、請求項１３又は請求項１４に記載の携帯コンロ用のテーブルである。

【発明の効果】
【００２３】
請求項１の発明によれば、燃料タンクを安定的に載置することができる。
【００２４】
請求項２の発明によれば、載置部材に、後述するスペーサーを使用する際、安定性よく嵌合載置することができる。
【００２５】
請求項３の発明によれば、携帯性、運搬性に優れる。
【００２６】
請求項４の発明によれば、載置部材にそのまま載置するには高さが足りないような比較的小さい燃料タンクを使用した携帯コンロを使用する場合は、携帯コンロ自体を底上げすることができる。また、コンパクトに収納することができる。
【００２７】
請求項５の発明によれば、載置部材にそのまま載置するには高さが足りないような比較的小さい燃料タンクを使用した携帯コンロを使用する場合は、携帯コンロ自体を底上げすることができる。また、使用の際もワンタッチで嵌合載置することができる。
【００２８】
請求項６の発明は、係止部により携帯コンロを安定的に載置することができ、また、嵌合部により載置部材の上に安定性よく嵌合載置することができる。
【００２９】
請求項７の発明は、軽量性に富む。
【００３０】
請求項８の発明は、携帯性、運搬性に優れる。
【００３１】
請求項９の発明は、載置部材やスペーサーを載置でき、携帯コンロを安定的に使用することができる。
【００３２】
請求項１０の発明は、コンパクトに収納することができ、携帯性、運搬性に優れる。
【００３３】
請求項１１の発明は、脚の取り付けが容易となり、また、天板の強度を保つことができる。
【００３４】
請求項１２の発明は、強度バランス、配置バランスに優れる。
【００３５】
請求項１３の発明は、バーナー部からの炎による輻射熱をテーブルが受けることにより、燃料タンクの加熱を防止することができる。
【００３６】
請求項１４の発明は、テーブルの開口に対して遮熱板でしっかりと被覆することができる。
【００３７】
請求項１５の発明は、嗜好性が高まる。
【図面の簡単な説明】
【００３８】
【図１−１】載置部材の分解展開図である。
【図１−２】その他の例の載置部材の分解展開図である。
【図２】スペーサーの分解展開図である。
【図３】展開した状態のテーブルの平面図である。
【図４】折畳んだ状態のテーブルの平面図である。
【図５】展開した状態のテーブルの裏面図である。
【図６】折畳んだ状態のテーブルの正面図である。
【図７】テーブルへ掛下前の載置部材の分解結合斜視図である。
【図８】載置部材へ嵌合載置前のスペーサーの分解結合斜視図である。
【図９】載置部材を掛下したテーブルの左側面図である。
【図１０】載置部材にスペーサーを嵌合載置したテーブルの正面図である。
【図１１】天板の開口を遮熱板で被覆する前の状態のテーブルの斜視図である。
【図１２】天板の開口を遮熱板で被覆し、携帯コンロ（大ボンベ）を載置した状態のテーブルの正面図である。
【図１３】天板の開口を遮熱板で被覆し、携帯コンロ（小ボンベ）を載置した状態のテーブルの正面図である。
【図１４】天板の開口を遮熱板で被覆し、携帯コンロ（大ボンベ）を載置した状態のテーブルの斜視図である。
【発明を実施するための形態】
【００３９】
一般的な周知の携帯コンロ１００の構成としては、燃料タンク６５（ガスカートリッジ等）がいわゆるＯＤ缶（図１２、図１３等参照）と呼ばれる丸みのある円柱形ものの場合、主に、燃料タンク６５の上方にコンロ本体６６が螺着される。このコンロ本体６６は、主に、燃料タンク６５から供給された燃料を燃焼するバーナー部６０と、このバーナー部６０の上方に加熱食器を載置保持する複数の五徳５９とからなる。さらに、コンロ本体６６には、燃料タンク６５からの燃料供給量を調整してバーナー部６０の火力を調整する火力調整部６７等を備える。そして、この携帯コンロ１００による加熱調理に関しては、食材や飲料を入れた加熱容器（不図示）を金属製等の五徳５９（台座）上に載せ、この五徳５９内（五徳５９下）に備えるバーナー部６０にライター等で点火し、加熱容器を直火で加熱調理する。
【００４０】
本発明は、燃料タンク６５がいわゆるＯＤ缶（可燃性ガス、例えば、液化プロパン、液化ブタン等の燃料缶）を用いた携帯コンロ１００を載置して使用することができる携帯コンロ１００用の載置部材１、スペーサー３０、テーブル４０である。本発明の構成物品について以下説明する。
【００４１】
載置部材１は、後述する携帯コンロ１００用のテーブル４０において使用するものであり、載置部材１をテーブル４０に掛下し、このテーブル４０に掛下した載置部材１に携帯コンロ１００を載置して使用するものである。載置部材１は、どのようなサイズのＯＤ缶（燃料タンク６５）においても使用できるように適宜変更してよい。
【００４２】
載置部材１の構成物品としては、図１−１、図１−２で図示したように、２枚の平面状部材であるプレート、具体的には、第一の載置プレート１１及び第二の載置プレート２２とからなる。各プレートは、本体部２と、この本体部２の長手方向の両端から立ち上がる腕部９とからなる略コの字状で構成されている。
【００４３】
腕部９は、長手方向ストレート状又はテーパー状としている。ストレート状とすれば、見た目のデザイン的にすっきりとした仕上がりとなる。また、テーパー状とすれば、安定感が増す。テーパー状に関しては、主に、深さ方向（下方向）に幅が広くなる末広がり状とするが、テーパーの角度については特に限定されない。
【００４４】
腕部９の上端には引掛部８を形成している。引掛部８は、テーブル４０の天板４２に引っ掛かけて載置部材１を吊り下げる部分であるため、短手方向の外側に突設している。引掛部８は、載置部材１を掛下げ支持することができれば、どのような大きさ、形状であってもよい。
【００４５】
図１−１で図示したように、本体部２には段部７を形成している。この段部７には燃料タンク６５であるＯＤ缶の缶底６５ｚが嵌められ、携帯コンロ１００を安定させるものである。すなわち、燃料タンク６５であるＯＤ缶の缶底６５ｚが段部７に収まることにより、携帯コンロ１００のガタつきやズレを阻止することができる。したがって、本実施形態では、本体部２と腕部９の境目を段部７としているが、ＯＤ缶の缶底６５ｚが嵌まり、携帯コンロ１００を安定させることができれば、位置、形状等問わない。よって、例えば、本体部２自体に凹凸を形成し、このような凹凸にＯＤ缶の缶底６５ｚを嵌めることによって、携帯コンロ１００を安定させてもよい。その他の例としては、図１−２で図示したように、本体部２の上端２ａには段部７等を形成せず面一とし、本体部２の上端２ａ全体を載置面とし、この載置面に携帯コンロ１００の燃料タンク６５を載置する構成も考えられる。この構成の場合、腕部９が燃料タンク６５をガード（燃料タンク６５の外周面を腕部９の内側端９ａで支持）するような形になり、載置面から携帯コンロ１００の燃料タンク６５が落ちることはないため、携帯コンロ１００を安定して載置することができる。なお、上記本体部２に段部７を形成する構成の場合であっても同様に腕部９が燃料タンク６５をガードするような形になり、段部７と腕部９のガードによって、携帯コンロ１００をより強固に安定して載置することできる。
【００４６】
図７、図８等で図示した本実施形態では、載置部材１は、第一の載置プレート１１及び第二の載置プレート２２を十字状又は斜め十字状にして形成される。
【００４７】
このように第一の載置プレート１１と第二の載置プレート２２の組み合わせは、十字状であっても、また、斜め十字状であってもよいが、第一の載置プレート１１と第二の載置プレート２２の各中心角は９０度の他、９０度以外の角度であってもよい。
【００４８】
第一の載置プレート１１と第二の載置プレート２２分解自在の構成の場合、上方から嵌合する一方のプレート（第一の載置プレート１１）には、本体部２長手方向略中央に下側開口の嵌合スリット４を形成している。また、下方から嵌合する他方のプレート（第二の載置プレート２２）には、本体部長手方向略中央に上側開口の嵌合スリット５を形成している。これらの下側開口の嵌合スリット４、上側開口の嵌合スリット５同士を嵌合することによって２枚の平面状部材であるプレートで載置部材１が形成される（図７参照）。また、２枚の平面状部材である両プレートを簡単に分解することができる（図１−１、図１−２参照）。
【００４９】
なお、載置部材１は、第一の載置プレート１１と第二の載置プレート２２とが分解自在の構成の他、第一の載置プレート１１と第二の載置プレート２２が一体の構成であってもよい。
【００５０】
なお、本実施形態では、上方から嵌合するプレートを第一の載置プレート１１、下方から嵌合するプレートを第二の載置プレート２２と称呼したが、逆としてもよい。
【００５１】
そして、載置部材１の本体部２には、後述するスペーサー３０を嵌合載置するための嵌合溝３を形成している。
【００５２】
スペーサー３０は、既述した載置部材１に嵌合載置して使用するものであり、載置部材１にそのまま載置して使用するには高さが足りない比較的小さい燃料タンク６５であるＯＤ缶を使用する場合に携帯コンロ１００を底上げするためのものである。
【００５３】
スペーサー３０は、載置部材１に嵌合載置することができればどのような形状であってもよい。具体的には、例えば、図２で図示したような、一対のプレート形状の他、図示しないが、軸方向に貫通した円筒形状又は四角等の多角筒形状等であってもよい。
【００５４】
スペーサー３０は、上端３１から係止部３２を凸設（図２参照）又は凹設（不図示）し、下端３３から嵌合部３５を凹設（図２参照）又は凸設（不図示）する。
【００５５】
係止部３２は、燃料タンク６５であるＯＤ缶が上端３１上で移動しないように留める部材であり、係止部３２と係止部３２の間にＯＤ缶が収まることにより、携帯コンロ１００のガタつきやズレを阻止することができる。例えば、一対のプレート形状のスペーサー３０、３０を載置部材１に載置したような場合、四箇所の係止部３２で囲繞された範囲の上端３１に燃料タンク６５であるＯＤ缶の缶底６５ｚが載置され、四箇所の係止部３２によって安定する。
【００５６】
スペーサー３０の上端３１から係止部３２を凸設する場合は、長手方向両側から短手方向に突設する。上端３１から係止部３２を凹設する場合は、長手方向両側において上側開口とする。なお、係止部３２の位置、大きさ、形状等は問わない。
【００５７】
嵌合部３５は、載置部材１の嵌合溝３に嵌合するものである。下端から嵌合部３５を凹設する場合は、長手方向両側において下側開口とする。下端からの嵌合部３５を凸設する場合は、長手方向両側から短手方向に突設する。なお、嵌合部３５の位置、大きさ、形状等は問わない。
【００５８】
スペーサー３０は、図２のように肉抜きされた肉抜部３８を形成する他、肉抜きしない構成であってもよい。肉抜きする場合、肉抜部３８の形状、位置、大きさ、範囲、数等は問わない。三角形の他、円形、多角形、文字、図形、各種ロゴマーク等を刻設してもよい。
【００５９】
以上のように、比較的大きい燃料タンク６５であるＯＤ缶を使用した携帯コンロ１００の場合は、載置部材１にそのまま載置して使用することができるが（図１２参照）、載置部材１にそのまま載置するには高さが足りないような比較的小さいＯＤ缶を使用した携帯コンロ１００を使用する場合は、携帯コンロ１００自体を底上げするためにスペーサー３０を介在させる（図１３参照）。但し、載置部材１の本体部２の高さを高くすることによっては、スペーサー３０を介在させずに比較的小さいＯＤ缶であってもそのまま嵌合載置して使用することができる場合がある。
【００６０】
スペーサー３０は、どのような高さ、厚みであってもよい。なお、スペーサー３０は、載置部材１と別体であるが、一体成形してもよい。
【００６１】
既述した載置部材１やスペーサー３０は携帯コンロ１００用のテーブル４０において使用するものであるため、次に、これら載置部材１やスペーサー３０を使用するための携帯コンロ１００用のテーブル４０について説明する。
【００６２】
テーブル４０は、天板４２と、天板４２から垂下する複数の脚部５８とを備える。なお、載置部材１を掛下することができ、携帯コンロ１００を載置して使用することができれば、テーブル４０のサイズ、形状等は問わない。
【００６３】
テーブル４０の天板４２は、図３等で図示したような複数枚の構成の他、不図示の一枚板の構成としてもよい。複数枚の構成としては、例えば、一対の天板４２、４２のそれぞれに備えたヒンジ５０部分を介して連結し、このヒンジ５０部分によって二つの天板４２、４２を折畳み又は展開可能とすることができる。
【００６４】
天板４２には開口４４を穿設し、この開口４４周囲から一体となって放射状に切欠き４６を形成する。すなわち、天板４２には、穿設した開口４４、そしてこの開口４４周囲から一体となった四箇所の切欠き４６を放射状に形成している。
【００６５】
開口４４は、内径のサイズは問わない。また、切欠き４６の数についても問わない。したがって、携帯コンロ１００を安定的に載置することができれば、切欠き４６の数を四箇所以下の三箇所としてもよい。さらには、テーブル４０の天板４２のどの位置に設けもよい。したがって、テーブル４０の天板４２が不図示の一枚板の構成の場合、天板４２の略中心側に穿設されていてもよい。
【００６６】
切欠き４６は、開口４４のどの位置に形成されていてもよい。テーブル４０の天板４２が複数枚の構成の場合、天板４２の角部から対角線方向又は各辺方向に設けられる構成が挙げられるが、これに限定されるものではない。
【００６７】
図３、図４で図示したように、天板４２の開口４４の外方には、後述する遮熱板４９用の留め穴４８を穿設している。この留め穴４８に関してもどの位置に形成されていてもよい。テーブル４０の天板４２が複数枚の構成の場合、天板４２の角部近傍に設けられる構成が挙げられる。
【００６８】
テーブル４０の脚部５８は、天板４２の裏面から直接垂下する構成の他、図１０等で図示したように、天板４２の正面及び背面を折り曲げ形成し、この折り曲げた部分である折曲部をそれぞれ正面折曲部５２、背面折曲部５３とし、正面折曲部５２及び背面折曲部５３の側面側に回動自在に設ける構成が挙げられる。このような構成によれば、簡易に脚部５８を設けることができ、脚部５８を折畳むことができる。なお、脚部５８を折畳むことができない構成であってもよい。
【００６９】
テーブル４０の天板４２が複数枚（二枚）の構成の場合、分割された一対の折畳み式となり、テーブル４０を折畳み又は展開可能とするため、一対の天板４２、４２の正面折曲部５２及び背面折曲部５３の対峙側にヒンジ５０を形成する。
【００７０】
ヒンジ５０は、ヒンジ部及びヒンジピンを採用した周知のヒンジ構造を採用する。また、ヒンジ５０の近傍の、具体的には、正面折曲部５２の裏側、背面折曲部５３の裏側に他の補強部材を介在させる場合がある。このような箇所に補強部材を介在させると、補強部材を固定する一個又は複数のリベットが必要となる場合があるため、部品点数が多くなり、また、加工工程も多くなる。本発明は、ヒンジ５０の近傍に補強部材を介在させていないため、部品点数や、加工工程を少なくすることにより安価に製造でき、また、見た目がスッキリしていてデザイン的な価値も高くなっている。
【００７１】
図９の左側面図で図示したように、天板４２の側面の一部又は全部を折り曲げ形成することによって側面折曲部５６とし、この側面折曲部５６によって天板４２の強度を保つことができる。
【００７２】
背景技術でも述べたが、携帯コンロ１００を地面等に設置面に直に置く、いわゆる直置きとする場合、燃料タンク６５内の液化ガスの気化効率の低下という課題があるが、本発明は、携帯コンロ１００を地面等に設置面に直に置かない、いわゆる非直置きであるため、このような課題は解決できるものである。加えて、テーブル４０に携帯コンロ１００を載置した場合、天板４２よりも下方に燃料タンク６５であるＯＤ缶が位置することによって、重心が下方にあるため、安定して使用することができ、また、テーブル４０を移動の際も、重心が下方にあるため、安定的に移動させることができる。
【００７３】
次に遮熱板４９を備えた実施形態について説明する。遮熱板４９は、携帯コンロ１００のバーナー部６０からの輻射熱を防ぐために輻射熱を遮るプレート状部材であり、テーブル４０の天板４２に脱着自在とするものである。図１１等では、遮熱板４９は方形状であり、遮熱板４９の略中央には遮熱板穴４９ｂを穿設している。
【００７４】
遮熱板４９の各隅部には爪片４９ａを備えており、テーブル４０の留め穴４８に遮熱板４９の爪片４９ａを嵌め入れることによって遮熱板４９でテーブル４０の開口４４を被覆できる。このように、遮熱板４９によってテーブル４０の天板４２の開口４４を被覆できるが、この遮熱板穴４９ｂから携帯コンロ１００の一部（燃料タンク６５の口部６５ａ）が出る（図１２等参照）。但し、載置部材１の腕部９の長手方向の長さや、スペーサー３０の高さ等によっては、遮熱板穴４９ｂから携帯コンロ１００の一部（燃料タンク６５の口部６５ａ）が出ない構成であってもよい。
【００７５】
図１１等では、遮熱板４９は方形状であるが、開口４４を被覆することができればどのような形状であってもよい。したがって、円形、三角形、多角形（五角形、六角形、八角形等）、星形等が挙げられる。また、安全面を考慮して各角を丸くしてもよく、ルーローの三角形のような各辺を膨らませたような形状でもよい。なお、円形には楕円形も含むものとする。
【００７６】
遮熱板４９に備えた爪片４９ａを、テーブル４０の天板４２に穿設した留め穴４８に嵌め入れることによって、開口４４を遮熱板４９で被覆する例について説明したが、遮熱板４９に爪片４９ａを備えず、テーブル４０の天板４２に留め穴４８を穿設することなく、遮熱板４９で開口４４を被覆できる構成であってもよい。図示しないが、具体的には、天板４２に遮熱板４９が嵌る浅い窪みを形成し、この浅い窪みに遮熱板４９を嵌置することによっても、開口４４を遮熱板４９で被覆することができる。この構成の場合、加工工程が簡素化され、より安価に製造することができる場合があるという効果がある。
【００７７】
図１１、図１４で図示したように、遮熱板４９には突出穴４９ｃが穿設されており、爪片４９ａを留め穴４８に嵌め入れ、遮熱板４９で開口４４を被覆すると、突出穴４９ｃから引掛部８が突出する。このような構成によれば、より強固に遮熱板４９で開口４４を被覆することができる。
【００７８】
遮熱板４９の爪片４９ａやテーブル４０の天板４２に穿設した留め穴４８の数、位置、大きさ、向き等は問わないため、例えば、一箇所の爪片４９ａ、一箇所の留め穴４８であってもよく、留め穴４８をどの位置に穿設してもよく、また、どのような向きに穿設してもよい。
【００７９】
以上説明した遮熱板４９によりバーナー部６０からの輻射熱を効果的に防止することができる。すなわち、バーナー部６０からの炎により輻射熱が発生するが、この輻射熱をテーブル４０が受けることによって、直接ＯＤ缶（燃料タンク６５）に輻射熱が届かなくなり、それによりＯＤ缶の加熱を防止することができる。すなわち、ＯＤ缶をバーナー燃焼時に発生する輻射熱から守る、遮熱テーブルとして使用することができ、また、天板４２の開口４４を被覆する遮熱板４９を取り付けることで普通のテーブルとしても使用できる。
【００８０】
載置部材１のテーブル４０への嵌合載置に際しては、本体部２に上側開口の嵌合スリット５を形成しているプレートを先に嵌合載置し、その後、本体部２に下側開口の嵌合スリット４を形成しているプレートの嵌合スリットを、先に嵌合載置しているプレートの嵌合スリットに嵌合する他、載置部材１をテーブル４０に嵌合載置する前に、両嵌合スリットを嵌合した状態の載置部材１をテーブル４０に嵌合載置してもよい。
【００８１】
図１０では、スペーサー３０がテーブル４０の正面の辺や背面の辺と平行に嵌合載置されているが、テーブル４０の側面の辺と平行に嵌合載置されていてもよい。すなわち、テーブル４０に対するスペーサー３０の向きは問わない。
【００８２】
テーブル４０の開口４４及び／又は遮熱板穴４９ｂの形状は、円形穴、多角形穴のいずれかであることが望ましい。多角形穴としては、例えば、三角形穴、四角形穴、五角形穴、六角形穴、八角形穴、星形穴等が挙げられる。また、各角を丸くしてもよく、ルーローの三角形のような各辺を膨らませたような形状でもよい。なお、円形穴には楕円形穴も含むものとする。
【００８３】
本発明の載置部材１、スペーサー３０、テーブル４０の素材は、強度や耐熱性の観点から金属製が好適であるが、特に限定されるものではない。
【００８４】
載置部材１、スペーサー３０、テーブル４０は、例えば、チタン等の金属製の板体を種々の公知のレーザー加工機でレーザー加工することにより安価に製造することができる。
【００８５】
本発明によれば、様々なサイズ、種類、内容物の燃料タンク６５（ＯＤ缶等）を載置して使用することができるが、本実施形態においては、携帯コンロ１００にはアルコールストーブも含めるものとする。したがって、他にアルコールストーブを載置して使用することもできる。
【００８６】
燃料タンク６５で燃料タンク６５（ＯＤ缶）を使用する携帯コンロ１００の場合、燃料タンク６５（ＯＤ缶）の上にコンロ本体６６を螺着する等により、軸方向に配置構成されるため、使用時において倒れやすくなる場合がある。特に燃料タンク６５（ＯＤ缶）内のガスが少なくなると燃料タンク６５（ＯＤ缶）自体が軽くなることでそれが顕著となる。しかし、本発明によって携帯コンロ１００を載置すれば、テーブル４０の天板４２よりも下方に燃料タンク６５（ＯＤ缶）が配置されるため、重心が下方となり、携帯コンロ１００が倒れにくくなる。また、テーブル４０の天板４２の下方に燃料タンク６５（ＯＤ缶）を配置されることによって、テーブル４０の天板４２とバーナー部６０の火元の高さが近くなるため調理、使い勝手がよくなる。
【００８７】
載置部材１やスペーサー３０は、テーブル４０への載置が極めて簡単で手軽に使用することができ、また、安定性良く良好に加熱調理を行うことができる。さらには携帯性にも優れる。
【００８８】
テーブル４０、分解した載置部材１、スペーサー３０を一纏めにして収納体（不図示）に収納することによって、保存運搬等に便利となる。特にテーブルが折畳み式の場合、折畳むことによってコンパクトに収納できる。
【００８９】
以上、各実施形態に基づき本発明を説明したが、本発明は上記実施形態に限定されるものではなく、本発明の趣旨を逸脱しない範囲で、変更を加えてもよいし、各実施形態に記載の技術、又は、その他の公知や周知の技術を組み合わせるようにしてもよい。
【００９０】
各図において各実施形態を図示したが、図を分かりやすくする等のために、一部構成を省略、簡略化した部分があるため、本発明は図示した実施形態に限定されるものではない。
【符号の説明】
【００９１】
１：載置部材
２：本体部
２ａ：上端
３：嵌合溝
４：下側開口の嵌合スリット
５：上側開口の嵌合スリット
７：段部
９：腕部
９ａ：内側端
８：引掛部
１１：第一の載置プレート
２２：第二の載置プレート
３０：スペーサー
３１：上端
３２：係止部
３３：下端
３５：嵌合部
３８：肉抜部
４０：テーブル
４２：天板
４４：開口
４６：切欠き
４８：留め穴
４９：遮熱板
４９ａ：爪片
４９ｂ：遮熱板穴
４９ｃ：突出穴
５０：ヒンジ
５２：正面折曲部
５３：背面折曲部
５６：側面折曲部
５８：脚部
５９：五徳
６０：バーナー部
６５：燃料タンク
６５ａ：口部
６５ｚ：缶底
６６：コンロ本体
６７：火力調整部
１００：携帯コンロ
【要約】
【課題】燃料缶としていわゆるＯＤ缶を使用する携帯コンロは、ＯＤ缶の上に携帯コンロ本体を螺着して配置構成され、使用時において倒れやすくなる場合がある。特にＯＤ缶内の燃料が少なくなるとＯＤ缶自体が軽くなることでそれが顕著となる。本発明を使用することによって携帯コンロを載置すれば、テーブルの天板よりも下方にＯＤ缶が配置されるため、重心が下方となり、携帯コンロが倒れにくくなる。
【構成】本発明は、携帯コンロ用の載置部材であって、載置部材は、本体部とこの本体部の両端から立ち上がる腕部とからなる第一の載置プレート及び第二の載置プレートを十字状又は斜め十字状にして形成され、腕部の上端には引掛部を突設したことを特徴とした、携帯コンロ用の載置部材等である。
【選択図】図１−１【図１−１】
0006976541.tif 000002
【図１−２】
0006976541.tif 000003
【図２】
0006976541.tif 000004
【図３】
0006976541.tif 000005
【図４】
0006976541.tif 000006
【図５】
0006976541.tif 000007
【図６】
0006976541.tif 000008
【図７】
0006976541.tif 000009
【図８】
0006976541.tif 000010
【図９】
0006976541.tif 000011
【図１０】
0006976541.tif 000012
【図１１】
0006976541.tif 000013
【図１２】
0006976541.tif 000014
【図１３】
0006976541.tif 000015
【図１４】
0006976541.tif 000016